(57)【要約】【課題】モータシャフトとシール機構との軸心を容易に合わせて組み立てて、水漏れに対する安全性を高めることができ、組み立てが簡略化する安価で信頼性の高い食器洗浄機用ポンプを備えた食器洗浄機を提供する。【解決手段】洗浄槽２と食器洗浄用ポンプ２０とを備えた食器洗浄機であって、食器洗浄用ポンプ２０は、モータ２１のフレームの前後に、モータシャフト２３を支持する軸受け２４、２８０を設けるとともに、ポンプ４１のポンプケーシング４２ａ、４２ｂのモータ２１側に凸状の軸受け保持部４８を設けて軸受け５０及びシール機構４９を配設し、モータ２１のポンプ４１側の軸受け２４とポンプ４１の軸受け保持部４８とを対向させて、モータシャフト２３の軸心と、ポンプ４１の軸受け保持部４８に配設した軸受け５０及びシール機構４９の軸心とを一致させ、モータ２１とポンプ４１とを一体に結合したものである。【選択図】図２
2010063591.tif 000002
【特許請求の範囲】
【請求項１】
洗浄槽と、モータのモータシャフトにより駆動されるポンプを有し、前記洗浄槽から洗浄水を吸い込んで吐出する食器洗浄用ポンプとを備え、
前記食器洗浄用ポンプは、
前記モータのフレームの前後に、前記モータシャフトを支持する軸受けを設けるとともに、前記ポンプのポンプケーシングの前記モータ側に前記モータシャフトが挿通する挿通孔を中心とした凸状の軸受け保持部を設けて、該軸受保持部に前記モータシャフトの軸受け及び前記挿通穴をシールするシール機構を配設し、
前記モータのポンプ側の軸受けと前記ポンプの軸受け保持部とを対向させて、前記モータシャフトの軸心と、前記ポンプの軸受け保持部に配設した軸受け及びシール機構の軸心とを一致させ、前記モータと前記ポンプとを一体に結合したことを特徴とする食器洗浄機。
【請求項２】
前記ポンプの軸受け保持部に、軸受けが前記ポンプ側に位置し、前記シール機構が前記モータ側に位置して配設されたことを特徴とする請求項１記載の食器洗浄機。
【請求項３】
前記ポンプの軸受け保持部に、軸受けが前記モータ側に位置し、前記シール機構が前記ポンプ側に位置して配設されたことを特徴とする請求項１記載の食器洗浄機。
【請求項４】
前記ポンプの軸受け保持部を、前記モータシャフトの軸方向に内径の異なる段差状に形成し、内部に配設される前記軸受け及び前記シール機構の径がそれぞれ異なるようにしたことを特徴とする請求項１〜３のいずれかに記載の食器洗浄機。
【請求項５】
前記シール機構は、オイルシールまたはメカニカルシールの回転シール機構であることを特徴とする請求項１〜４のいずれかに記載の食器洗浄機。
【請求項６】
前記軸受けは、無給油ブッシュ、テフロン（登録商標）、またはポリアセタール製の回転軸受けであることを特徴とする請求項１〜４のいずれかに記載の食器洗浄機。
【請求項７】
前記軸受けは、合成樹脂製であることを特徴とする請求項１〜４のいずれかに記載の食器洗浄機。
【発明の詳細な説明】
【技術分野】
【０００１】
本発明は、食器等を洗浄する食器洗浄機に係り、より詳しくは、食器洗浄機に設けられて洗浄水を吸い込み、吐出する食器洗浄機用ポンプに関する。
【背景技術】
【０００２】
従来の食器洗浄機の食器洗浄機用ポンプに、モータのフレームの前後に、モータシャフトを中心にし内部に軸受けを保持して凸状に形成した一対の軸受け保持部を設けるとともに、ポンプのケーシングのモータ部分側に、モータシャフトが挿通する挿通孔を中心とし内部に挿通穴をシールするシール機構を保持した円筒部を突出させ、この円筒部をポンプ部分側に位置する軸受け保持部に嵌挿し、モータシャフトの軸心と、円筒部内のシール機構の軸心とを一致させて、モータとポンプとを一体に結合したものがある（例えば、特許文献１参照）。
【０００３】
【特許文献１】実用新案登録公報第２５５７７８２号公報（第３−４頁、第１図）
【発明の開示】
【発明が解決しようとする課題】
【０００４】
上記のような特許文献１の食器洗浄機の食器洗浄用ポンプによれば、ポンプ部分のケーシングに軸心を一致させるための円筒部を形成しているが、この円筒部は変形や寸法誤差のない真円形状であることが要求される。しかしながら、ポンプ部分のケーシングには、一般に、熱可塑性樹脂などによるプラスチック製の成形部品が使用されるため、ポンプ部分のケーシングに形成した円筒部は、成形時の収縮や成形後の後収縮等により、必ずしも真円形状を維持させることが容易ではない。そのため、円筒部の真円狂い分や寸法誤差分によりモータシャフトに対してシール機構の軸心がずれて、シールの偏磨耗などにより水漏れが発生するなどの問題があった。
【０００５】
本発明は上記の課題を解決するためになされたもので、モータシャフトとシール機構との軸心を容易に合わせて組み立てて水漏れに対する安全性を高めることができ、かつ、組み立てが簡略化することにより安価で信頼性の高い食器洗浄機用ポンプを備えた食器洗浄機を得ることを目的とする。
【課題を解決するための手段】
【０００６】
本発明に係る食器洗浄機は、洗浄槽と、モータのモータシャフトにより駆動されるポンプを有し、洗浄槽から洗浄水を吸い込んで吐出する食器洗浄用ポンプとを備え、
前記食器洗浄用ポンプは、モータのフレームの前後に、モータシャフトを支持する軸受けを設けるとともに、ポンプのポンプケーシングのモータ側にモータシャフトが挿通する挿通孔を中心とした凸状の軸受け保持部を設けて、軸受保持部にモータシャフトの軸受け及び挿通穴をシールするシール機構を配設し、モータのポンプ側の軸受けとポンプの軸受け保持部とを対向させて、モータシャフトの軸心と、ポンプの軸受け保持部に配設した軸受け及びシール機構の軸心とを一致させ、モータとポンプとを一体に結合したものである。
【発明の効果】
【０００７】
モータシャフトとポンプの軸受け保持部は、モータシャフトを支持するポンプ軸受けの軸保持性により、モータシャフトと精度良く同軸をなすことができ、このため、モータシャフトはシール機構に対して必要な同軸性を容易に確保することができる。また、ポンプに熱や外力により多少の変形作用が働いても、シール機構とポンプ軸受けは同じ軸受け保持部に配設されているので、常に同軸性を維持することができる。こうして、モータシャフトとシール機構との同軸性を得ることができるため、その結果として、水漏れに対する安全性を増すことができ、かつ、組み立ての簡略化により、安価で信頼性が高い食器洗浄機用ポンプを備えた食器洗浄機を得ることができる。
【発明を実施するための最良の形態】
【０００８】
実施の形態１．
図１は本発明の実施の形態１に係る食器洗浄機用ポンプを組み込んだ食器洗浄機の縦断面図、図２は図１の食器洗浄機用ポンプの縦断面図である。
まず、図１において、食器洗浄機用ポンプを組み込んだ食器洗浄機の構成について説明する。食器洗浄機本体１内には、上面が開口されて食器洗浄機本体１から前方（図１の左側）に引き出し可能な洗浄槽２が収容され、この洗浄槽２内に食器３を収納する食器かご４が配設されている。洗浄槽２には取っ手２ａが設けられており、食器洗浄機本体１の両側壁の内壁に設けたレール５に沿って洗浄槽２を前方に引き出すことができる。
【０００９】
洗浄槽２内には、洗浄水を加熱するヒータ６が設けられている。また、洗浄槽２の下方には、モータ（後述）によって駆動され、洗浄槽２から吸込んだ洗浄水を洗浄ノズル７に吐出する食器洗浄機用ポンプ２０が設けられており、洗浄ノズル７より噴射した洗浄水により食器かご４に収納した食器３を洗浄するようになっている。
食器洗浄機本体１には水道水を洗浄槽２に給水するための給水弁８が設けられており、また、洗浄層２の下部には内部の洗浄水を排水するための排水ポンプ９が設けられ、さらに、洗浄水により洗浄された食器３を乾燥させるための乾燥装置１０が設けられている。
１１は食器洗浄機本体１の上部に設けられた内蓋で、洗浄槽２を食器洗浄機本体１内に収容したときに、洗浄槽２の上方の開口部を閉塞する。
【００１０】
次に、図２により、食器洗浄機に組み込まれた食器洗浄機用ポンプ２０の構成について説明する。食器洗浄機用ポンプ２０は、モータ２１とポンプ４１とによって構成されており、ポンプ４１は、ポンプ取り付け板６０を介してモータ２１と一体に結合されている。
【００１１】
モータ２１は、回転子と固定子からなり、ポンプ動力を発生させる動力部２２を有し、動力部２２の動力を伝達するモータシャフト２３と、このモータシャフト２３を同軸上に支持するモータ軸受け２４、２８とを備え、モータシャフト２３はモータ軸受け２４、２８により軸振れなく高精度に支持されている。
モータ２１のフレーム２５の前後（モータシャフト２３の軸方向の前後）には、モータシャフト２３を中心として凸状に形成された第１、第２の軸受け保持部２６、２７が設けられ、それぞれの内部には前後方向に同径の凹部が形成され、モータ軸受け２４、２８が保持されている。
第１、第２の軸受け保持部２６、２７の周囲には、これらと同じ高さの凸状部２９、３０がそれぞれ設けられており、ポンプ４１側に位置する凸状部２９において、固定ネジ３１により、モータ２１はポンプ取り付け板６０に固定されている。
【００１２】
ポンプ４１は、合成樹脂などからなるポンプケーシング４２ａとモータ側ポンプケーシング４２ｂとによって渦巻き室を形成し、その内部にはモータシャフト２３に同軸に固定されたインペラ（羽根車）４４が配設され、モータ２１の動力部２２により回転してポンプ作用をなす。このポンプケーシング４２ａはその周囲に取り付け部４５が設けられ、固定ネジ４６により、ポンプ部分４１がポンプ取り付け板６０に固定されている。
【００１３】
モータ側ポンプケーシング４２ｂには、モータシャフト２３が挿通する挿通孔４７を中心として、モータ２１側に凸状に形成された第３の軸受け保持部４８が設けられており、その内部には前後方向に同径の凹部が形成され、オイルシールやメカニカルシールなどの回転シール機構であるシール機構４９と、水中でも使用可能な無給油ブッシュやテフロン（登録商標）やポリアセタール製の回転軸受けであるポンプ軸受け５０とが、モータシャフト２３の軸方向に沿って保持されている。この場合、モータ２１とポンプ４１をシールするシール機構４９はモータ２１側に配設され、モータシャフト２３が挿通されるポンプ軸受け５０はポンプ２１側に配設されている。なお、シール機構４９とポンプ軸受け５０の外径は同径である。
【００１４】
シール機構４９は、必要なシール性を確保するために、モータシャフト２３の挿通孔４７に対して同軸をなすように第３の軸受け保持部４８内に精度良く取り付ける必要があり、このために、第３の軸受け保持部４８には、同軸にポンプ軸受け５０が配設されている。モータシャフト２３と第３の軸受け保持部４８とは、モータシャフト２３が軸通されるポンプ軸受け５０の軸保持性により、第３の軸受け保持部４８がモータシャフト２３と精度良く同軸をなすことができ、さらには、モータシャフト２３は第３の軸受け保持部４８に配設されているシール機構４９とも精度良く同軸をなすことができる。
【００１５】
こうして、モータ２１のフレーム２５に設けた第１の軸受け保持部２６のモータシャフト２３の軸心と、ポンプ４１のポンプケーシング４２ａ側に設けた第３の軸受け保持部４８のシール機構４９の軸心とを一致させる。
【００１６】
次に、上記のように構成した本発明の作用を説明する。
図１に示す取っ手２ａを手前（図１の左側）に引き、洗浄槽２を前方に引き出して洗浄する食器３を食器かご４に収納し、洗浄槽２を食器洗浄機本体１内に収容すると、内蓋１２が洗浄槽２の上方の開口部を閉塞する。
次に、操作部（図示せず）に設けたスタートスイッチをＯＮすると運転が開始され、制御装置（図示せず）が、給水弁８、ヒータ６、食器洗浄用ポンプ２０、排水ポンプ９、乾燥装置１０等の運転を制御し、食器かご４に収納した食器３を洗浄し、すすぎ、そして乾燥する。
【００１７】
この際、食器洗浄機用ポンプ２０のモータ２１の動力部２２を駆動すると、モータシャフト２３は、第１、第２の軸受け保持部２６、２７のモータ軸受け２４、２８により支持されて軸振れなく精度よく回転し、さらにこのモータシャフト２３の回転は、ポンプ４１の第３の軸受け保持部４８のシール機構４９及びポンプ軸受け５０と同軸をなして伝達され、モータシャフト２３に固定されたインペラ４４を回転させて、ポンプ作用をなす。
【００１８】
実施の形態１によれば、特別な治具などを使用しなくても、モータシャフト２３と第３の軸受け保持部４８は、モータシャフト２３が軸通されたポンプ軸受け５０の軸保持性により、モータシャフト２３と精度良く同軸をなすことができ、このため、モータシャフト２３はシール機構４９に対して必要な同軸性を容易に確保することができる。また、ポンプ４１に熱や外力により多少の変形作用が働いても、シール機構４９とポンプ軸受け５０は同一の第３の軸受け保持部４８内に配設されているので、常に同軸性を維持することができる。こうして、モータシャフト２３とシール機構４９との同軸性を得ることができるため、その結果として、水漏れに対する安全性を増すことができ、かつ、組み立ての簡略化により、安価で信頼性の高い食器洗浄機用ポンプ２０を備えた食器洗浄機を得ることができる。
【００１９】
実施の形態２．
図３は、本発明の実施の形態２の係る食器洗浄機の食器洗浄機用ポンプの縦断面図である。なお、実施の形態１と同一部分には同じ符号を付し、説明を省略する。
実施の形態１においては、モータ側ポンプケーシング４２ｂには第３の軸受け保持部４８が設けられ、その内部には、モータ部分２１側にシール機構４９を配設し、ポンプ４１側にポンプ軸受け５０を配設した場合を示したが、本実施の形態２では、ポンプ４１側にシール機構４９を配設し、モータ２１側にポンプ軸受け５０を配設したものである。
【００２０】
実施の形態２によれば、実施の形態１と同様な効果に加えて、ポンプ軸受け５０をモータ２１側に配設したので、ポンプ４１側がシール機構４９によってシールされることになり、このため、ポンプ軸受け５０の材質を考慮する必要がなくなり、幅広い種類のポンプ軸受け５０を使用することができる。
【００２１】
実施の形態３．
図４は、本発明の実施の形態３に係る食器洗浄機の食器洗浄機用ポンプ２０の縦断面図である。なお、実施の形態１と同一部分には同じ符号を付し、説明を省略する。
図４において、モータ側ポンプケーシング４２ｂの第３の軸受け保持部４８は、モータシャフト２３を挿通する挿通孔４７を中心として、ポンプ２１側には大径保持部４８ａが、モータ４１側には小径保持部４８ｂが、それぞれ異なる外径及び内径にて同軸に形成され、モータ２１側に縮径する２段構造となっている。そして、モータ２１側の小径保持部４８ｂ内には、オイルシールやメカニカルシールなどの回転シール機構である小径のシール機構４９を配設し、ポンプ４１側の大径保持部４８ｂ内には、無給油ブッシュやテフロン（登録商標）やポリアセタール製の回転軸受けや金属製の玉軸受けなどで構成された大径のポンプ軸受け５０を配設してある。
【００２２】
実施の形態３によれば、実施の形態１と同様な効果に加えて、ポンプ２１側には大径保持部４８ａを設け、モータ４１側には小径保持部４８ｂを設けて、第３の軸受け保持部４８の外径及び内径を異ならせたので、シール機構４９とポンプ軸受け５０を誤った箇所に配設することがなく、それぞれを所定の箇所に配設することができるため、品質のよい食器洗浄機用ポンプ２０を生産することができる。
【００２３】
実施の形態４．
図５は、本発明の実施の形態４に係る食器洗浄機の食器洗浄機用ポンプの縦断面図である。なお、実施の形態３と同一部分には同じ符号を付し、説明を省略する。
実施の形態３においては、モータ側ポンプケーシング４２ｂの第３の軸受け保持部４８は、ポンプ２１側に大径保持部４８ａが形成され、モータ４１側に小径保持部４８ｂが形成され、小径保持部４８ｂ内には小径のシール機構４９を配設し、大径保持部４８ｂ内には大径のポンプ軸受け５０を配設した場合を示したが、本実施の形態４では、小径保持部４８ｂ内に小径のポンプ軸受け５０を配設し、大径保持部４８ｂ内に大径のシール機構４９を配設したものである。
【００２４】
実施の形態４によれば、実施の形態３とほぼ同様な効果を得ることができる。
【００２５】
実施の形態５．
実施の形態１〜４では、モータ側ポンプケーシング４２ｂの第３の軸受け保持部４８内にはシール機構４９とポンプ軸受け５０とが配設され、ポンプ軸受け５０は水中でも使用可能な無給油ブッシュやテフロン（登録商標）やポリアセタール製の回転軸受けを用いたが、本実施の形態５では、ポンプ軸受け５０を、プラスチックなどの合成樹脂製の回転軸受けで構成したものである（図示せず）。
【００２６】
実施の形態５によれば、実施の形態１〜４と同様な効果に加えて、ポンプ軸受け５０をプラスチック等の合成樹脂製としたので、水中及び大気中のいずれの環境においても制約なく使用することができる。さらには、玉軸受けなどには、予圧のためのスプリングワッシャーなどの別部品を必要とするが、プラスチックのような合成樹脂の場合はその必要がなく、食器洗浄機用ポンプ２０を安価に提供することができる。
【００２７】
上記の説明では、図示の食器洗浄機に本発明に係る食器洗浄機用ポンプを用いた場合を示したが、これに限定するものではなく、他の構造の食器洗浄機にもこれを適用することができる。
【図面の簡単な説明】
【００２８】
【図１】本発明の実施の形態１に係る食器洗浄機用ポンプを組み込んだ食器洗浄機の縦断面図である。
【図２】図１の食器洗浄機用ポンプの縦断面図である。
【図３】本発明の実施の形態２に係る食器洗浄機の食器洗浄機用ポンプの縦断面図である。
【図４】本発明の実施の形態３に係る食器洗浄機の食器洗浄機用ポンプの縦断面図である。
【図５】本発明の実施の形態４に係る食器洗浄機の食器洗浄機用ポンプの縦断面図である。
【符号の説明】
【００２９】
１  食器洗浄機本体、２  洗浄槽、３  食器、４  食器かご、６  ヒータ、７  洗浄ノズル、１０  乾燥装置、２０  食器洗浄機用ポンプ、２１  モータ、２２  動力部、２３  モータシャフト、２４  モータ軸受け、２５  モータのフレーム、２６  第１の軸受け保持部、２７  第２の軸受け保持部、２８  モータ軸受け、４１  ポンプ、４２ａ  ポンプケーシング、４２ｂ  モータ側ポンプケーシング、４４  インペラ、４７  モータシャフトの挿通孔、４８  第３の軸受け保持部、４８ａ  大径保持部、４８ｂ  小径保持部、４９  シール機構、５０  ポンプ軸受け、 ６０  ポンプ取り付け板。
【図１】
2010063591.tif 000003
【図２】
2010063591.tif 000004
【図３】
2010063591.tif 000005
【図４】
2010063591.tif 000006
【図５】
2010063591.tif 000007